(57)【要約】【課題】  係員の操作ミスに対応可能な遊技場監視システム及び当該監視システムにより監視される遊技機を提供する。【解決手段】  監視タグと監視アンテナとのＲＦＩＤ通信が成立せず異常と判断された場合には、所定時間（例えば、１０秒）待機した後に「異常情報」を島管理装置へ送信する。待機時間中に係員カードと認証アンテナとのＲＦＩＤ通信が成立し、「認証状態」となった場合には「作業情報」を島管理装置へ送信する。島管理装置では「異常情報」を受信した場合のみ警告ランプを点灯させ、表示器に異常の内容を表示して異常発生の報知を行い、「作業情報」と受信した場合には報知は行わない。【選択図】  図２
2006280821.tif 000002
【特許請求の範囲】
【請求項１】
遊技場内の遊技機設置島に設置された遊技機を監視するための監視制御装置と、当該監視制御装置に接続された監視アンテナと、固有の識別情報を記憶し前記遊技機の監視対象場所に設置された監視タグとを備え、当該監視制御装置は前記監視アンテナと前記監視タグとのＲＦＩＤ通信を繰り返し、所定の状態となった場合には異常と判断することにより遊技機の監視を行い、当該監視制御装置に接続した外部装置へ異常の発生を示す異常情報を送信する遊技場監視システムであって、
前記監視制御装置は、
前記監視タグの識別情報と、当該監視タグと無線通信を行うためのアンテナとを対応させて記憶する識別情報記憶手段と、
前記監視タグとＲＦＩＤ通信を行う監視タグ通信手段と、
当該監視タグ通信手段により前記監視タグとＲＦＩＤ通信が行えない場合、又は、前記識別情報記憶手段に記憶されている識別情報と異なる識別情報のＩＣタグと前記監視タグ通信手段によりＲＦＩＤ通信を行った場合に異常と判断する異常判断手段と、
当該異常情報判断手段により異常と判断されたことを示す異常情報を作成し、前記外部装置へ異常情報を送信する異常情報送信手段と、
係員が遊技場内で所持し、固有の識別情報を記憶した係員タグの識別情報を記憶する係員識別情報記憶手段と、
前記係員タグとＲＦＩＤ通信を行う係員タグ通信手段と、
当該係員タグ通信手段によりＲＦＩＤ通信を行い、前記係員識別情報記憶手段に記憶されている識別情報を有する前記係員タグとＲＦＩＤ通信が行われた場合に、前記係員タグが存在するとして前記係員タグを検出する係員タグ検出手段と、
前記異常判断手段により異常と判断された時から所定時間の経過を計測する経過時間計測手段と、
当該経過時間計測手段による所定時間の経過を計測中に前記係員タグ検出手段により前記係員タグが検出された場合には、前記異常情報を前外部装置へ送信させない異常情報送信制御手段とを備え、
前記外部装置は、
前記異常情報送信手段により送信された前記異常情報を受信する異常情報受信手段を備えたことを特徴とする遊技場監視システム。
【請求項２】
前記外部装置は、
前記異常情報受信手段が前記異常情報を受信した場合に、異常の発生を報知する報知手段とを備えたことを特徴とする請求項１に記載の遊技場監視システム。
【請求項３】
前記監視制御装置は、
前記係員タグ検出手段により前記係員タグが検出された場合には、当該監視制御装置を認証状態とする認証状態制御手段と、
当該認証状態制御手段により認証状態とされている際に前記異常判断手段により異常と判断された場合、又は、前記異常判断手段により異常と判断された後の前記経過時間計測手段による所定時間の経過を計測中に前記係員タグ検出手段により前記係員タグが検出された場合には、前記異常判断手段による異常判断を係員による作業の実施として、当該係員を特定するための情報を少なくとも含む作業情報を作成し、前記外部装置に送信する作業情報送信手段とを備え、
前記外部装置は、
前記異常情報受信手段が受信した前記異常情報を記憶する異常情報記憶手段と、
前記作業情報送信手段により送信された前記作業情報を受信する作業情報受信手段と、
当該作業情報受信手段が受信した前記作業情報を記憶する作業情報記憶手段とを備えたことを特徴とする請求項１又は２に記載の遊技場監視システム。
【請求項４】
請求項１乃至３のいずれかに記載の遊技場監視システムによって監視される遊技機。
【発明の詳細な説明】
【技術分野】
【０００１】
本発明は遊技場監視システム及び当該遊技場監視システムによって監視される遊技機に関し、詳細には、遊技場監視システムにおける不正発生の報知に関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ケースに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、ＩＣタグを用いて遊技機に対する不正行為を監視するシステムが提案されている（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１に記載の監視システムでは、異常が発生した際には、遊技機が設置されている遊技島に備えられた管理機の警告ランプを点灯させて、遊技場の係員に対して報知を行っている。
【０００４】
このような監視システムにより監視されている遊技機において、係員が作業する際に遊技機の前面扉を開けると、ＩＣタグとの通信が断たれて異常が発生したとされてしまう。そこで、本出願人は、遊技場の係員に認証用のＩＣタグ（認証タグ）を所持させ、監視制御装置にその認証用のＩＣタグのＩＤコードを記憶させておき、認証用のＩＣタグと通信が成立したら、その認証モードとして監視用のＩＣタグとの通信が切断した場合でも、異常の発生として監視情報を残すのではなく、作業が行われたとして作業履歴情報を残すようにし、さらに、作業履歴情報が作成された場合には異常発生の報知を行わないようにしている遊技機用監視システムも提案している（特願２００４−１６１９８９）。
【特許文献１】特開２００２−２３２１９３号公報
【発明の開示】
【発明が解決しようとする課題】
【０００５】
しかしながら、本出願人が特願２００４−１６１９８９において提案したような遊技機用監視システムにおいても、係員が認証用のＩＣタグを監視制御装置と通信させることを忘れて作業を行ってしまったような場合には、実際には作業を行っているにもかかわらず、異常が発生したとして異常情報が残されてしまうという問題点がある。また、異常が発生したと解されると、異常発生の報知が行われてしまうという問題点がある。この異常発生が報知されてしまうと、報知停止の処理を行う必要が生じる係員は作業を中断しなければならないという問題点がある。
【０００６】
本発明は、上記課題を解決するためになされたものであり、係員の操作ミスに対応可能な遊技場監視システム及び当該監視システムにより監視される遊技機を提供することを目的とする。
【課題を解決するための手段】
【０００７】
上記課題を解決するため、請求項１に係る発明の遊技場監視システムでは、遊技場内の遊技機設置島に設置された遊技機を監視するための監視制御装置と、当該監視制御装置に接続された監視アンテナと、固有の識別情報を記憶し前記遊技機の監視対象場所に設置された監視タグとを備え、当該監視制御装置は前記監視アンテナと前記監視タグとのＲＦＩＤ通信を繰り返し、所定の状態となった場合には異常と判断することにより遊技機の監視を行い、当該監視制御装置に接続した外部装置へ異常の発生を示す異常情報を送信する遊技場監視システムであって、前記監視制御装置は、前記監視タグの識別情報と、当該監視タグと無線通信を行うためのアンテナとを対応させて記憶する識別情報記憶手段と、前記監視タグとＲＦＩＤ通信を行う監視タグ通信手段と、当該監視タグ通信手段により前記監視タグとＲＦＩＤ通信が行えない場合、又は、前記識別情報記憶手段に記憶されている識別情報と異なる識別情報のＩＣタグと前記監視タグ通信手段によりＲＦＩＤ通信を行った場合に異常と判断する異常判断手段と、当該異常情報判断手段により異常と判断されたことを示す異常情報を作成し、前記外部装置へ異常情報を送信する異常情報送信手段と、係員が遊技場内で所持し、固有の識別情報を記憶した係員タグの識別情報を記憶する係員識別情報記憶手段と、前記係員タグとＲＦＩＤ通信を行う係員タグ通信手段と、当該係員タグ通信手段によりＲＦＩＤ通信を行い、前記係員識別情報記憶手段に記憶されている識別情報を有する前記係員タグとＲＦＩＤ通信が行われた場合に、前記係員タグが存在するとして前記係員タグを検出する係員タグ検出手段と、前記異常判断手段により異常と判断された時から所定時間の経過を計測する経過時間計測手段と、当該経過時間計測手段による所定時間の経過を計測中に前記係員タグ検出手段により前記係員タグが検出された場合には、前記異常情報を前外部装置へ送信させない異常情報送信制御手段とを備え、前記外部装置は、前記異常情報送信手段により送信された前記異常情報を受信する異常情報受信手段を備えたことを特徴とする構成となっている。
【０００８】
また、請求項２に係る発明の遊技場監視システムでは、請求項１に記載の発明の構成に加えて、前記外部装置は、前記異常情報受信手段が前記異常情報を受信した場合に、異常の発生を報知する報知手段とを備えたことを特徴とする構成となっている。
【０００９】
また、請求項３に係る発明の遊技場監視システムでは、請求項１又は２に記載の発明の構成に加えて、前記監視制御装置は、前記係員タグ検出手段により前記係員タグが検出された場合には、当該監視制御装置を認証状態とする認証状態制御手段と、当該認証状態制御手段により認証状態とされている際に前記異常判断手段により異常と判断された場合、又は、前記異常判断手段により異常と判断された後の前記経過時間計測手段による所定時間の経過を計測中に前記係員タグ検出手段により前記係員タグが検出された場合には、前記異常判断手段による異常判断を係員による作業の実施として、当該係員を特定するための情報を少なくとも含む作業情報を作成し、前記外部装置に送信する作業情報送信手段とを備え、前記外部装置は、前記異常情報受信手段が受信した前記異常情報を記憶する異常情報記憶手段と、前記作業情報送信手段により送信された前記作業情報を受信する作業情報受信手段と、当該作業情報受信手段が受信した前記作業情報を記憶する作業情報記憶手段とを備えたことを特徴とする構成となっている。
【００１０】
また、請求項４に係る発明の遊技機は、請求項１乃至３のいずれかに記載の遊技場監視システムによって監視される。
【発明の効果】
【００１１】
請求項１に係る発明の遊技場監視システムでは、監視制御装置の識別情報記憶手段は、監視タグの識別情報と、監視タグと無線通信を行うためのアンテナとを対応させて記憶し、監視タグ通信手段は、監視タグとＲＦＩＤ通信を行い、異常判断手段は、監視タグ通信手段により監視タグとＲＦＩＤ通信が行えない場合、又は、識別情報記憶手段に記憶されている識別情報と異なる識別情報のＩＣタグと監視タグ通信手段によりＲＦＩＤ通信を行った場合に異常と判断し、異常情報送信手段は、異常情報判断手段により異常と判断されたことを示す異常情報を作成し、外部装置へ異常情報を送信し、係員識別情報記憶手段は、係員が遊技場内で所持し、固有の識別情報を記憶した係員タグの識別情報を記憶し、係員タグ通信手段は、係員タグとＲＦＩＤ通信を行い、係員タグ検出手段は、係員タグ通信手段によりＲＦＩＤ通信を行い、係員識別情報記憶手段に記憶されている識別情報を有する係員タグとＲＦＩＤ通信が行われた場合に、係員タグが存在するとして係員タグを検出し、経過時間計測手段は、異常判断手段により異常と判断された時から所定時間の経過を計測し、異常情報送信制御手段は、経過時間計測手段による所定時間の経過を計測中に係員タグ検出手段により係員タグが検出された場合には、異常情報を前外部装置へ送信させず、外部装置の異常情報受信手段は、異常情報送信手段により送信された異常情報を受信することができる。したがって、係員のミスによって、係員タグを検出させずに監視部材を触り、監視タグを移動させてしまい、異常が検知されても、所定時間以内に係員タグを監視制御装置に検出させれば、監視情報は外部装置に送信されないので、異常発生の記録は残らない。
【００１２】
また、請求項２に係る発明の遊技場監視システムでは、請求項１に記載の発明の効果に加えて、外部装置の報知手段は、異常情報受信手段が異常情報を受信した場合に、異常の発生を報知することができる。したがって、係員のミスによって、係員タグを検出させずに監視部材を触り、監視タグを移動させてしまい、異常が検知されても、所定時間以内に係員タグを監視制御装置に検出させれば、監視情報は外部装置に送信されないので、報知も行われず、係員が作業している最中に報知され続けることがなく、逆に、報知を解除するために作業を中断する必要がなくなり、係員は作業に集中できる。
【００１３】
また、請求項３に係る発明の遊技場監視システムでは、請求項１又は２に記載の発明の効果に加えて、監視制御装置の認証状態制御手段は、係員タグ検出手段により係員タグが検出された場合には、監視制御装置を認証状態とし、作業情報送信手段は、認証状態制御手段により認証状態とされている際に異常判断手段により異常と判断された場合、又は、異常判断手段により異常と判断された後の経過時間計測手段による所定時間の経過を計測中に係員タグ検出手段により係員タグが検出された場合には、異常判断手段による異常判断を係員による作業の実施として、係員を特定するための情報を少なくとも含む作業情報を作成し、外部装置に送信することができる。また、外部装置の異常情報記憶手段は、異常情報受信手段が受信した異常情報を記憶し、作業情報受信手段は、作業情報送信手段により送信された作業情報を受信し、作業情報記憶手段は、作業情報受信手段が受信した作業情報を記憶することができる。したがって、監視情報と作業情報を記録することができ、係員のミスによって、係員タグを検出させずに監視部材を触り、監視タグを移動させてしまい異常が検知されても、所定時間以内に係員タグを監視制御装置に検出させれば、監視情報は送信されずに、作業情報が送信されるので、異常発生の記録は残らず、さらに係員による作業が行われたことは記録として残すことができる。よって、監視情報や作業情報を検証する際に、係員の作業が異常として記録されることがないので、実際の状況を掴むことができる。
【００１４】
また、請求項４に係る発明の遊技機は、請求項１乃至３のいずれかに記載の遊技場監視システムによって監視されているので、係員のミスによって、係員タグを検出させずに監視部材を触り、監視タグを移動させてしまい異常が検知されても、所定時間以内に係員タグを監視制御装置に検出させれば、異常発生の報知が行われないので、係員は当該遊技機の作業を継続することができる。
【発明を実施するための最良の形態】
【００１５】
以下、本発明の実施の形態について、図面を参照して以下の順で説明する。
１．システム構成の概要説明
２．パチンコ機及びパチンコ機付属機器の説明
３．ＩＣタグ及びアンテナの説明
４．島管理装置の説明
５．監視情報の説明
６．ＲＷの動作の説明
７．島管理装置の動作の説明
８．請求項との対比
９．変形例の説明
【００１６】
１．システム構成の概要説明
まず、図１及び図２を参照して、本発明の一実施の形態の遊技場監視システムの全体構成について説明する。図１は、遊技場監視システムを示す構成図である。図２は、遊技場監視システムを導入した遊技場内の外観を示す説明図である。
【００１７】
遊技場には、パチンコ機１が設置される設置台である遊技島２００が複数設置されている。遊技島２００では、パチンコ機１が背中合わせに２列に並べられて設置されている。そして、各遊技島２００の内部には、パチンコ機１を監視するための監視制御装置であるリーダライタ（以下、ＲＷと称する）３０が、１台のパチンコ機１に１台ずつ設置されている。また、ＲＷ３０は通信ユニット３００を備えており、遊技島２００の外面、パチンコ機１の前面上部に設置されている。この通信ユニット３００には、ＲＷ３０が外部と通信するための種々のアンテナが備えられている。そして、各通信ユニット３００の上側には、遊技者が個々のパチンコ機１の遊技内容（本日の大当たり回数など）に関する情報を入手するための情報表示器２０１が設置されている。
【００１８】
また、遊技島２００にはそれぞれ１台ずつ島管理装置１００が設置されており、遊技場内には遊技者が利用する遊技者端末４００が１台設置されており、遊技場外の事務室にはホールコンピュータ６００が１台設置されている。そして、これらのＲＷ３０、島管理装置１００、遊技者端末４００及びホールコンピュータ６００は、店内ネットワーク１５０に接続している。
【００１９】
かかる遊技場監視システムにおいては、各ＲＷ３０により、各パチンコ機１に設置された後述の監視タグ８６と監視アンテナ６８と（図３〜図５参照）のＲＦＩＤ通信を利用して、両者の通信状態に基づいて開閉部材の開閉状態が監視される。ＲＷ３０は、継続的に監視アンテナ６８から監視タグ８６を呼び出す呼出波を送信しており、予めＲＷ３０に登録されているＩＤコードを含む反射波を送信する監視タグ８６とのＲＦＩＤ通信が成立している状態では、監視場所は閉じられている（正常）と判断される。そして、監視タグ８６と監視アンテナ６８とのＲＦＩＤ通信が断たれた場合や、予めＲＷ３０に登録されている監視タグでないＩＣタグとＲＦＩＤ通信をした場合には異常と判断され、ＲＷ３０から島管理装置１００へ「異常情報」が送信される。
【００２０】
また、遊技場の係員は係員カード５１０を所持している。係員カード５１０は、カード型のＩＣタグであり、係員の身分を証明するためのカードである。係員はパチンコ機１の玉詰まりの除去等の作業を行う際に、パチンコ機１の前面枠１１や本体枠１０（図３参照）を開放する。しかしながら、この係員による開放は作業のための開放であり、不正者による不正開放ではない。そこで、係員は係員カード５１０を用いてＲＷ３０に作業を行う旨を認識させる（「認証状態」とさせる）。
【００２１】
この係員カード５１０には、係員を識別可能なＩＤコード（ＩＣタグ固有の識別コード）が記憶されており、ＲＷ３０にはこの係員カード５１０と通信するための認証アンテナ３０１が備えられ、通信ユニット３００に内蔵されている（図５参照）。そこで、係員は作業を行う前に係員カード５１０を通信ユニット３００にかざす。すると、認証アンテナ３０１と係員カード５１０とのＲＦＩＤ通信が成立するので、ＲＷ３０は「認証状態」とされ、監視タグ８６と監視アンテナ６８とのＲＦＩＤ通信が断たれても係員による「作業中」であると判断される。そして、島管理装置１００へは「異常情報」でなく、「作業情報」が送信されることとなる。なお、この「認証状態」は１０秒経過した際に、全ての監視場所が閉じられていれば解除される。また、１０秒経過後に１つでも開放されている監視場所があれば、全ての監視場所が閉じられてから解除される。
【００２２】
また、ＲＷ３０から「異常情報」及び「作業情報」を受信した島管理装置１００は、それらの情報をホールコンピュータ６００へ送信する。そして、各パチンコ機１についての「異常情報」はホールコンピュータ６００において集計、記憶される。しかし、不正開放が行われた際には、その行為に対して係員が対処する必要がある。そこで、「異常情報」を受信した島管理装置１００では、警告ランプ１０６を点灯させ、表示器１０７に異常内容を表示して、遊技場内の係員に異常の発生を報知する。なお、この報知は停止ボタン１０８を押下することにより停止される。なお、「作業情報」を受信した際には、「異常」の発生ではなく「作業」が行われているので、報知は行われない。
【００２３】
また、本発明の遊技場監視システムでは、監視タグ８６と監視アンテナ６８とのＲＦＩＤ通信が成立せず、異常と判断された場合には、所定時間（例えば、１０秒）待機した後に「異常情報」を島管理装置１００へ送信する。これは、係員が係員カード５１０をかざして「認証状態」とするのをうっかり忘れて、前面枠１１や本体枠１０を開放してしまった場合に対処するためである。係員カード５１０をかざすのを忘れた場合には、前面枠１１や本体枠１０の開放は「不正なもの」と判断されてしまい、島管理装置１００において異常発生の報知が行われてしまう。
【００２４】
しかしながら、実際には係員が作業を行うためになされた開放であり、不正行為によるものではない。ところが、異常発生の報知が行われてしまうので、作業を行おうとしている係員は、異常発生の報知を解除して作業を継続する、又は、異常発生の報知をさせたまま作業を継続する必要がある。前者の場合には、そのパチンコ機１に遊技者がいる場合には、遊技者を待たせてしまうという問題があり、前者の場合には、異常発生の報知に対して他の係員が対処しようとしてしまったり、遊技者に不審を抱かせてしまったりという問題がある。また、ホールコンピュータ６００やＲＷ３０に蓄積される情報が本来「作業情報」であるべきにも関わらず「異常情報」として蓄積されてしまう。
【００２５】
そこで、本発明の遊技場監視システムでは、異常と判断された場合であっても、「異常情報」をすぐには島管理装置１００へ送信せずに、所定時間待機し、待機時間中に係員カード５１０と認証アンテナ３０１とのＲＦＩＤ通信が成立し、「認証状態」となった場合には「作業情報」を島管理装置１００へ送信する。これにより、うっかり係員カード５１０をかざし忘れて前面枠１１や本体枠１０を開けてしまっても、所定時間以内に係員カード５１０をかざせば、「異常情報」が島管理装置１００へ送信されることはなく、「作業情報」が送信されるので、異常発生の報知が行われてしまったり、「異常情報」が蓄積されてしまったりすることがない。
【００２６】
なお、遊技者は、遊技者を識別可能なＩＤコードを記憶したカード型のＩＣタグである遊技者カード４１０を所有している。この遊技者カード４１０には、遊技者を識別可能なＩＤコードの他に、その遊技者の過去の遊技情報が記憶されている。遊技者は、遊技を開始する前に、通信ユニット３００に遊技者カード４１０をセットする。通信ユニット３００には、ＲＷ３０が遊技者カード４１０とＲＦＩＤ通信を行うための遊技者アンテナ３０２（図５参照）が備えられている。そして、ＲＷ３０では、繰り返し遊技者カード４１０を呼び出す呼出波を送信しており、遊技者カード４１０とのＲＦＩＤ通信が成立し、遊技者を認識すると、その後のパチンコ機１の遊技情報（打ち込み球数、払出球数、大当たり抽選回数、大当たり回数など）が所定時間（例えば、１分）ごとに遊技者カード４１０へ送信され、遊技者カード４１０のＥＥＰＲＯＭ（図示外）に書き込まれる。また、遊技者カード４１０に書き込まれる遊技情報は、ＲＷ３０から島管理装置１００を経由して、ホールコンピュータ６００へ送信され、集計、記憶される。
【００２７】
また、遊技者端末４００にも、遊技者カード４１０とＲＦＩＤ通信するためのアンテナが設けられており、遊技者端末４００は遊技者カード４１０に記憶されている遊技情報を読み出すことができる。そこで、遊技者は、遊技者カード４１０を遊技者端末にセットすることにより、記憶されている遊技情報を閲覧することができる。
【００２８】
２．パチンコ機及びパチンコ機付属機器の説明
次に、図３乃至図６を参照して、パチンコ機１について説明する。図３は、パチンコ機１の前面枠１１及び本体枠１０を開いた状態をパチンコ機１の前面から見た斜視図である。図４は、パチンコ機１の背面図である。図５は、パチンコ機１の電気的構成を示すブロック図である。図６は、ＲＷ３０のＥＥＰＲＯＭ３５の記憶エリアを示した模式図である。
【００２９】
図３に示すように、パチンコ機１は、機枠１２と、本体枠１０と、前面枠１１とから構成されている。機枠１２は、パチンコ機１を遊技島２００に固定するためのものである。また、本体枠１０は、前面側に遊技領域４を有する遊技盤２、遊技球を貯留するための上皿５や下皿６等を備え、裏面側には機構部としての機構板、パチンコ機１の制御を司る種々の基板等が設置されている。そして前面枠１１は、遊技盤を覆うためのガラス板を保持している。さらに、遊技領域４には、図柄表示装置や各種入賞口等が設けられている。
【００３０】
図４に示すように、パチンコ機１背面の下部には、パチンコ機１の主制御を司る主基板４１を収納した主基板ケース８１、遊技球の払い出しを制御する払出制御基板４５を収容した払出制御基板ケース８２等が配置されている。また、機構板は、遊技球を払い出すための払出装置６７を備えている。
【００３１】
次に、図５を参照してパチンコ機１の主な構成要素の電気的構成について説明する。パチンコ機１には、主基板４１、払出制御基板４５をはじめ図示外の電源基板、音基板、図柄表示基板、電飾基板、中継基板、発射基板、サブ統合基板等が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とを備えている。また、ＣＰＵ５１は、Ｉ／Ｏインタフェイス５４に接続しており、Ｉ／Ｏインタフェイス５４には払出制御基板４５及び出力ポート５５が接続している。なお、パチンコ機１は遊技島２００に備えられた電源から電源供給を受けている。
【００３２】
また、図３及び図４に示すように、監視タグ８６ａ〜８６ｃが主基板ケース８１、機枠１２、前面枠１１に貼り付けられている。そして、主基板ケース８１、機枠１２と本体枠１０、本体枠１０と前面枠１１の開閉の監視が行われている。そして、各監視場所が閉じられた状態において、監視タグ８６と対峙し、ＲＦＩＤ通信が可能な位置に監視アンテナ６８が備えられている。そこで、主基板ケース８１に貼り付けられた監視タグ８６をケースタグ８６ａ、機枠１２に貼り付けられた監視タグ８６を機枠タグ８６ｂ、前面枠１１に貼り付けられた監視タグ８６を前面枠タグ８６ｃとする。なお、ケースタグ８６ａと通信する監視アンテナ６８をケースアンテナ６８ａ、機枠タグ８６ｂと通信する監視アンテナ６８を機枠アンテナ６８ｂ、前面枠タグ８６ｃと通信する監視アンテナ６８を前面枠アンテナ６８ｃとする。なお、主基板４１が収容されている主基板ケース８１を監視場所１とし、本体枠１０と機枠１２を監視場所２とし、前面枠１１と本体枠１０を監視場所３とする。
【００３３】
次に、図５を参照してＲＷ３０について説明する。ＲＷ３０には、ＲＷ３０の制御を司るＣＰＵ３２が設けられている。ＣＰＵ３２にはフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６へ呼出波を送信し、反射波を受信するためのＲａｄｉｏ  Ｆｒｅｑｕｅｎｃｙ回路（以下、ＲＦ回路と称する）３８、時間管理を行うＲＴＣ（以下、Ｒｅａｌ  Ｔｉｍｅ  Ｃｌｏｃｋと称する）７１、Ｉ／Ｏインタフェイス３７が接続している。Ｉ／Ｏインタフェイス３７には、パチンコ機１の主基板４１の出力ポート５５と接続する入力ポート３９、島管理装置１００を介して店内ネットワーク１５０に接続するため通信回路３６が接続されている。
【００３４】
そして、ＲＦ回路３８には、係員カード５１０とＲＦＩＤ通信するための認証アンテナ３０１、及び、遊技者カード４１０とＲＦＩＤ通信するための遊技者アンテナ３０２がケーブルで接続しており、当該パチンコ機１の前面に設置されている通信ユニット３００内に設けられている。また、パチンコ機１の各監視場所に貼り付けられている監視タグ８６ａ〜８６ｃとＲＦＩＤ通信するための監視アンテナ６８ａ〜６８ｃもＲＦ回路３８に接続している。
【００３５】
次に、図６を参照して、ＥＥＰＲＯＭ３５に記憶されている情報について説明する。ＥＥＰＲＯＭ３５には、監視情報記憶エリア３５１、認証情報記憶エリア３５２、監視ＩＤコード記憶エリア３５３、認証ＩＤコード記憶エリア３５４等が設けられている。監視情報記憶エリア３５１には、「監視情報」である、異常が発生した際の「異常情報」や作業が行われた際の「作業情報」が記憶される。認証情報記憶エリア３５２には、「認証状態」としたＩＤコードやその日時、解除された日時等を含む「認証情報」が記憶される。監視ＩＤコード記憶エリア３５３には、監視場所ごとに監視タグ８６のＩＤコードが記憶されている。認証ＩＤコード記憶エリア３５４には、係員カード５１０のＩＤコードが記憶されている。
【００３６】
３．ＩＣタグ及びアンテナの説明
次に、監視タグ８６、遊技者カード４１０、係員カード５１０について説明する。監視タグ８６、遊技者カード４１０、係員カード５１０は１３．５６ＭＨｚの短波帯でＲＦＩＤ通信を行うＩＣタグである。
【００３７】
例えば、ケースタグ８６ａが貼り付けられてその開放が監視される主基板ケース８１では、上蓋部及び下蓋部の中に主基板４１が収納され、上蓋部と下蓋部とは開かないようにかしめられている。そして、ケースアンテナ６８ａは主基板ケース８１の下蓋部に設置されており、ケースタグ８６ａは上蓋部に設置されている。そして、ケースアンテナ６８ａとケースタグ８６ａとの距離は、主基板ケース８１の上蓋部と下蓋部を組み付けた状態で約３ｍｍになるように配置されている。この距離間ではＲＦＩＤ通信が可能であり、ケースアンテナ６８ａとケースタグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。
【００３８】
また、機枠タグ８６ｂと機枠アンテナ６８ｂとの通信可能距離についても、機枠１２と本体枠１０とを閉じた状態では通信可能となり、少しでも開けられた状態（例えば、５ｍｍを超えた状態）では通信不能となるように、機枠アンテナ６８ｂのコイルの巻き数やリアクタンス値の調節が行われている。そして、前面枠タグ８６ｃと前面枠アンテナ６８ｃとの通信可能距離についても、前面枠１１と本体枠１０とを閉じた状態では通信可能となり、少しでもあけられた状態（例えば、３ｍｍを超えた状態）では通信不能となるように、前面枠アンテナ６８ｃのコイルの巻き数やリアクタンス値の調節が行われている。
【００３９】
また、係員カード５１０と通信を行う認証アンテナ３０１と、遊技者カード４１０と通信を行う遊技者アンテナ３０２とは、通信ユニット３００の内部に設置されている。通信ユニット３００は遊技者カード４１０又は係員カード５１０を保持できるように、その上面にカード差込口が設けられている。そして、遊技者カード４１０又は係員カード５１０がカード差込口に挿入された状態で通信可能なようにコイルの巻き数やリアクタンス値の調節が行われている。なお、認証アンテナ３０１は、通信ユニットの正面側に設置されており、係員カード５１０はカード差込口に差し込まなくても、通信ユニット３００の正面にかざした状態で認証アンテナ３０１とＲＦＩＤ通信を行うことができる。
【００４０】
４．島管理装置の説明
次に、図７を参照して、島管理装置１００について説明する。図７は、島管理装置１００の電気的構成を示すブロック図である。図７に示すように、島管理装置１００は、ＣＰＵ１０１を備えており、ＲＡＭ１０２，ＲＯＭ１０３，ＥＥＰＲＯＭ１０４，Ｉ／Ｏインタフェイス１０５、ＲＴＣ１１７がＣＰＵ１０１に接続している。そして、Ｉ／Ｏインタフェイス１０５には、ＲＷ３０が店内ネットワーク１５０に接続するための通信回路１０９、遊技島２００の監視の状態を示すメッセージ等を表示する表示器１０７、異常発生の報知を行うための警告ランプ１０６、報知を停止するための停止ボタン１０８が接続されている。
【００４１】
５．監視情報の説明
次に、図８乃至図１０を参照して、監視情報について説明する。図８は、ＲＷ３０のＥＥＰＲＯＭ３５の監視情報記憶エリア３５１に記憶されている監視情報３５１１の模式図であり、図９は、監視情報３５１２の模式図である。また、図１０は、ホールコンピュータ６００のハードディスクに記憶されている監視情報６０１１の模式図である。図８は、異常が発生した直後の状態の監視情報３５１１、図９は、監視情報送信待機中に認証状態となり作業情報に書き換えられた状態の監視情報３５１１の模式図であり、図１０は、ＲＷ３０から送信された作業情報が記憶され、一連の作業が終了した後の監視情報６０１１の模式図である。
【００４２】
監視情報記憶エリア３５１とホールコンピュータ６００のハードディスクの監視情報記憶エリアとはほぼ同様の構造をしており、「区分」欄、「日時」欄、「監視場所」欄、「内容」欄、「状態」欄、「ＩＤコード」欄が設けられている。「区分」欄はその監視情報が「異常情報」であるか、「作業情報」であるかを示す値がセットされる。本実施の形態では「０」は「異常情報」を示し、「１」は「作業情報」を示している。また、「日時」欄はその監視情報が作成された日時がセットされ、「監視場所」欄には異常が発生／回復した又は作業が行われた監視場所を示す番号がセットされる。本実施の形態では、「１」は監視場所１（主基板４１が収容されている主基板ケース８１）を示し、「２」は監視場所２（本体枠１０と機枠１２）を示し、「３」は監視場所３（前面枠１１と本体枠１０）を示している。
【００４３】
そして、「内容」欄は異常の内容が「ＩＤエラー」であるか、「応答エラー」であるかを示す情報がセットされる。予め登録されていないＩＤコードのＩＣタグとＲＦＩＤ通信したことによる「ＩＤエラー」では「１」がセットされ、呼出波に対してＩＣタグから反射波の応答がない「応答エラー」では「０」がセットされる。そして、「状態」欄は異常の「発生」であるか、「回復」であるかを示す情報がセットされる。「発生」では「１」がセットされ、「回復」では「０」がセットされる。そして、「ＩＤコード」欄は、作業情報の場合のみ使用され、作業を行った係員を示す情報、即ち、認証状態とした係員カード５１０のＩＤコードがセットされる。
【００４４】
なお、ＲＷ３０の監視情報記憶エリア３５１にはさらに「送信」欄が設けられており、ホールコンピュータ６００のハードディスクの監視情報記憶エリアにはさらに「台番号」欄が設けられている。「送信」欄ではその監視情報が島管理装置１００へ送信されたか否かの情報が記憶される。未送信の場合には「０」、送信済の場合には「１」がセットされる。「台番号」欄には、その監視情報を送信したＲＷ３０が監視しているパチンコ機１の台番号がセットされる。
【００４５】
ここで、次のような作業が行われた場合の監視情報を考える。２００５年３月１１日の１１：２８：４６に係員が台番号「１０１」のパチンコ機１の前面枠１１を本体枠１０から開け、係員カード５１０をかざし「認証状態」とするのを忘れたことに気が付いて、開放から１０秒以内に係員カード５１０を認証アンテナ３０１にかざし、１１：２９：３２に本体枠１０を機枠１２から開放し、作業を行った後、１１：３１：１４に本体枠１０を機枠１２へ閉じ、１１：３１：１６に前面枠１１を本体枠１０へ閉じる。
【００４６】
図８に示すように、監視情報３５１１には「区分」欄に「異常情報」であることを示す「０」がセットされており、「日時」欄には「２００５．０３．１１  １１：２８：４６」がセットされており、「監視場所」欄には監視場所３（前面枠１１と本体枠１０）を示す「３」がセットされており、「内容」欄には応答エラーを示す「０」がセットされており、「状態」欄には発生を示す「１」がセットされており、「送信」欄には未送信を示す「０」がセットされており、「ＩＤコード」欄には何もセットされていない。
【００４７】
そして、１０秒以内に認証状態とされたので、監視情報３５１１の「異常情報」は「作業情報」とされて、島管理装置１００へ送信され、図９に示すような監視情報３５１２となっている。「区分」欄は「作業情報」であることを示す「１」がセットされ、「ＩＤコード」欄に認証状態とした係員カード５１０のＩＤコードである「ｅ６ｒ８ｇ４ｒｅｒ」がセットされ、「送信」欄は送信済を示す「１」がセットされている。
【００４８】
そして、図９に示す監視情報３５１２の「作業情報」が島管理装置１００へ送信され、島管理装置１００からホールコンピュータ６００へ送信されハードディスクの監視情報記憶エリアへ記憶される。ＲＷ３０から送信された監視情報は「作業情報」であるので、図１０に示すように、「区分」欄は「作業情報」であることを示す「１」がセットされ、「日時」欄には「２００５．０３．１１  １１：２８：４６」がセットされており、「監視場所」欄には監視場所３（前面枠１１と本体枠１０）を示す「３」がセットされており、「内容」欄には応答エラーを示す「０」がセットされており、「状態」欄には発生を示す「１」がセットされており、「ＩＤコード」欄に認証状態とした係員カード５１０のＩＤコードである「ｅ６ｒ８ｇ４ｒｅｒ」がセットされている。また、「台番号」欄には「１０１」がセットされている。
【００４９】
さらに、その後の本体枠１０の開放や、本体枠１０及び前面枠１１を閉じる作業は、認証状態中に行われているので、すべて「区分」欄は「区分」欄は「作業情報」であることを示す「１」がセットされ、「ＩＤコード」欄に認証状態とした係員カード５１０のＩＤコードである「ｅ６ｒ８ｇ４ｒｅｒ」がセットされている。
【００５０】
６．ＲＷの動作の説明
次に、図１１乃至図１５のフローチャートを参照して、ＲＷ３０の動作の説明を行う。図１１は、ＲＷ３０で行われるメイン処理のフローチャートであり、図１２は、メイン処理の中で行われる認証処理のフローチャートであり、図１３は、メイン処理の中で行われる監視処理のフローチャートであり、図１４は、監視処理の中で行われる発生処理のフローチャートであり、図１５は、監視処理の中で行われる回復処理のフローチャートである。
【００５１】
図１１に示すように、まず、各エラーフラグ及び送信番号に初期値の「０」がセットされる等の初期処理が行われる（Ｓ１）。エラーフラグは、「０」が記憶されている場合には監視タグ８６との通信が正常に行われており、「１」が記憶されている場合には監視タグ８６との通信が正常に行われていないこと、つまり異常が発生していることを示している。そして、監視場所１〜監視場所３毎に応答エラーフラグ及びＩＤエラーフラグが設けられている。なお、応答エラーは監視アンテナ６８から送信された呼出波に対して、監視タグ８６が反射波を返信してこなかった場合を示し、ＩＤエラーは反射波に含まれているＩＤコードが予め登録されているものと異なっている場合を示している。また、送信番号は、監視情報の送信状態を示す番号であり、「０」は異常が発生していない際を示し、「１」は異常が発生して所定時間（本実施の形態では、１０秒）の監視情報送信の待機中を示し、「２」は作業情報が送信された場合を示し、「３」は異常情報が送信された場合を示している。
【００５２】
そして、送信番号が「１」であるか否かにより、監視情報送信待機中であるか否かの判断が行われる（Ｓ２）。始めは、Ｓ１において送信番号には「０」がセットされているので（Ｓ２：ＮＯ）、何も行われない。そして、認証処理が行われる（Ｓ７、図１２参照）。この認証処理については、図１２のフローチャートを参照して、後に詳述するが、認証アンテナ３０１から呼出波を送信して、係員カード５１０とＲＦＩＤ通信が成立する場合には「認証状態」とされる。そして、異常発生からの監視情報送信の待機中である場合には、「作業情報」が島管理装置１００へ送信される。
【００５３】
次いで、主基板ケース８１（監視場所１）（Ｓ８）、本体枠１０と機枠１２（監視場所２）（Ｓ９）、前面枠１１と本体枠１０（監視場所３）（Ｓ１０）の順で監視が行われる。この監視処理については、図１３のフローチャートを参照して、後に詳述するが、どの監視場所の監視処理を行うのかの情報は、監視場所を示す番号を用いて監視処理に指示される。
【００５４】
そして、Ｓ２へ戻り、送信番号が「１」であるか否かにより、監視情報送信待機中であるか否かの判断が行われる（Ｓ２）。送信待機中でなければ（Ｓ２：ＮＯ）、そのままＳ７へ進み、認証処理（Ｓ７）、監視処理（Ｓ８〜Ｓ１０）が行われ、Ｓ２へ戻る。待機時間中であれば（Ｓ２：ＹＥＳ）、経過時間カウンタの値が１０秒を超えているか否かにより、監視情報送信の待機時間の１０秒を経過したか否かの判断が行われる（Ｓ３）。１０秒を経過していなければ（Ｓ３：ＮＯ）、そのままＳ７へ進み、認証処理（Ｓ７）、監視処理（Ｓ８〜Ｓ１０）が行われ、Ｓ２へ戻る。なお、経過時間カウンタは「異常」が発生してからの経過時間を計測するためのタイマカウンタであり、監視処理内において計測が開始され、ＲＴＣ７１からのタイマ割り込みによりカウントアップされる。
【００５５】
監視情報送信の待機時間の１０秒を経過してれば（Ｓ３：ＹＥＳ）、待機時間計測が停止される（Ｓ４）。そして、監視情報記憶エリア３５１に記憶されている監視情報のうち、経過時間カウンタ計測開始（現在時刻から経過時間カウンタの値分過去の日時）以後であり、かつ、「送信」欄が「０」（未送信）、「区分」欄が「０」（異常情報）となっている監視情報が送信される（Ｓ５）。この際には送信された監視情報の「送信」欄には送信済を示す「１」がセットされる。そして、送信番号に「３」がセットされる（Ｓ６）。そして、Ｓ７へ進み、認証処理（Ｓ７）、監視処理（Ｓ８〜Ｓ１０）が行われ、Ｓ２へ戻る。
【００５６】
次に、図１２のフローチャートを参照して、認証処理について説明する。認証処理では、予め認証ＩＤコード記憶エリア３５４に登録されているＩＤコードの係員カード５１０とのＲＦＩＤ通信が成立すると「認証状態」とされる。そして、１０秒経過した際に、全ての監視場所が閉じられていれば（応答エラーが発生していない）、「認証状態」は解除される。また、１０秒経過後に１つでも開放されている監視場所があれば（応答エラーが発生していれば）、全ての監視場所が閉じられてから「認証状態」は解除される。なお、この認証処理では、ＲＡＭ３４に記憶される認証フラグ、認証中ＩＤコード、認証時間カウンタが用いられる。認証フラグは、「認証状態」であるか否かを示すフラグであり、「認証状態」では「１」がセットされてＯＮとされており、「認証状態」でない場合には「０」がセットされてＯＦＦされている。また、認証中ＩＤコードには「認証状態」とした係員カード５１０のＩＤコードがセットされる。認証時間カウンタは、「認証状態」とされている時間を計測するためのタイマカウンタであり、ＲＴＣ７１からのタイマ割り込みによりカウントアップされる。
【００５７】
まず、認証アンテナ３０１から呼出波が送信される（Ｓ２１）。そして、所定時間（例えば、５秒）以内に反射波を受信するか否かの判断が行われる（Ｓ２２）。反射波を受信すれば（Ｓ２２：ＹＥＳ）、受信した反射波に含まれるＩＤコードが予め認証ＩＤコード記憶エリア３５４に記憶されているか否かの判断が行われる（Ｓ２３）。認証ＩＤコード記憶エリア３５４に記憶されている登録済みのＩＤコードであれば（Ｓ２３：ＹＥＳ）、「認証状態」であるか否かの判断が行われ（Ｓ２４）、認証状態フラグがＯＮであり「認証状態」中でなければ（Ｓ２４：ＹＥＳ）、認証フラグに「１」が記憶されてＯＮとされ、「認証状態」とされる（Ｓ２５）。そして、そのＩＤコードが「認証中ＩＤコード」としてＲＡＭ３４に記憶される（Ｓ２６）。次いで、認証情報記憶エリア３５２へ「認証状態」とされたことを示す情報、現在の時刻及び認証中ＩＤコードが記憶される（Ｓ２７）。そして、認証時間の計測が開始され（Ｓ２８）、通信ユニット３００に設けられている認証ランプが点灯される（Ｓ２９）。
【００５８】
そして、送信番号が「１」であるか否かにより、監視情報送信の待機時間中であるか否かの判断が行われる（Ｓ３０）。待機時間中であれば（Ｓ３０：ＹＥＳ）、「作業情報」を島管理装置１００へ送信する必要がある。そこで、監視情報記憶エリア３５１に記憶されている監視情報のうち、経過時間カウンタ計測開始（現在時刻から経過時間カウンタの値分過去の日時）以後であり、かつ、「送信」欄が「０」（未送信）となっている監視情報の「区分」欄が「作業情報」を示す「１」に変更され、「ＩＤコード」欄に認証中ＩＤコードがセットされる（Ｓ３１）。そして、「作業情報」が島管理装置１００へ送信される（Ｓ３２）。この際には「送信」欄に送信済を示す「１」がセットされる。そして、送信番号に「作業情報」を送信したことを示す「２」がセットされる（Ｓ３３）。そして、メイン処理へ戻る。
【００５９】
また、監視情報送信待機中でなければ（Ｓ３０：ＮＯ）、「作業情報」を島管理装置１００へ送信する必要はないので、そのままメイン処理へ戻る。
【００６０】
また、係員カード５１０とのＲＦＩＤ通信が成立した際に（Ｓ２１，Ｓ２２：ＹＥＳ，Ｓ２３：ＹＥＳ）、「認証状態」中であれば（Ｓ２４：ＹＥＳ）、Ｓ２５〜Ｓ３２の「認証状態」開始の処理をする必要はないので、そのままメイン処理へ戻る。
【００６１】
また、呼出波を送信した際に（Ｓ２１）、反射波を受信しなかったり（Ｓ２２：ＮＯ）、登録されていないＩＤコードのＩＣタグからの反射波を受信したり（Ｓ２３：ＮＯ）した場合には、まず、現在「認証状態」であるか否かの判断が行われる（Ｓ３４）。現在、「認証状態」でなければ（Ｓ３４：ＮＯ）、そのままメイン処理へ戻る。また、「認証状態」であれば（Ｓ３４：ＹＥＳ）、「認証状態」を終了させるか否かを判断して（Ｓ３５、Ｓ３６）、「認証状態」終了の処理が行われる（Ｓ３７〜Ｓ３９）。まず、認証時間が１０秒を経過したか否かの判断が行われる（Ｓ３５）。認証時間が１０秒経過していなければ（Ｓ３５：ＮＯ）、まだ「認証状態」が継続されるので、そのままメイン処理へ戻る。
【００６２】
認証時間が１０秒経過していれば（Ｓ３５：ＹＥＳ）、応答エラー中であるか否かが判断され（Ｓ３６）、応答エラー中であれば（Ｓ３６：ＹＥＳ）、「認証状態」は解除されないので、そのままメイン処理へ戻る。また、応答エラー中でなければ（Ｓ３６：ＮＯ）、認証フラグに「０」がセットされて「認証状態」が解除される（Ｓ３７）。そして、認証中ＩＤコードがクリアされ（Ｓ３８）、認証時間計測が停止される（Ｓ３９）。そして、メイン処理へ戻る。
【００６３】
次に、図１３を参照して、監視処理について説明する。この監視処理では、メイン処理から指定された監視場所の監視アンテナ６８から呼出波が送信され、予め登録されているＩＤコードの監視タグ８６とＲＦＩＤ通信が成立すれば、その監視場所は「正常」であるとされ、ＲＦＩＤ通信が成立しなければ「異常」とされる。そして、「異常」とされた場合には、「異常情報」が作成され、経過時間の計測が開始される。また、「異常」が回復した際には異常の回復を示す「異常情報」が作成、送信される。また、「異常」と判断されても「認証状態」であれば、それは係員による作業であると判断され、「作業情報」が作成される。同様に「異常」の回復においても「認証状態」であれば、「作業情報」が作成される。
【００６４】
まず、監視アンテナ６８から呼出波が送信される（Ｓ４１）。そして、所定時間（例えば、５秒）以内に監視タグ８６から反射波を受信するか否かの判断が行われる（Ｓ４２）。反射波を受信したら（Ｓ４２：ＹＥＳ）、ＩＤコードが予め監視ＩＤコード記憶エリア３５３に記憶されているＩＤコードと一致するか否かの判断が行われる（Ｓ４６）。ＩＤコードが一致していれば（Ｓ４６：ＹＥＳ）、「正常」と判断される。そこで、現在エラー中であれば回復の処理をする必要があるので、応答エラーフラグがＯＮであるか否かの判断（Ｓ５１）、ＩＤエラーフラグがＯＮであるか否かの判断（Ｓ５５）が行われる。応答エラー中でも、ＩＤエラー中でもなければ（Ｓ５１：ＮＯ，Ｓ５５：ＮＯ）、正常な状態が継続しているので、そのままメイン処理へ戻る。
【００６５】
また、監視タグ８６から反射波の返送がなければ（Ｓ４２：ＮＯ）、「異常」と判断され「応答エラー」となる。そこで、すでに応答エラーとなっているか否かが、応答エラーフラグがＯＮであるか否かにより判断される（Ｓ４３）。すでに応答エラーとなっていなければ（Ｓ４３：ＮＯ）、応答エラーに対する処理を行う必要がある。そこで、応答エラーフラグがＯＮとされ（Ｓ４４）、発生処理が行われる（Ｓ４５、図１４参照）。
【００６６】
この発生処理では、図１４に示すように、まず「認証状態」であるか否かの判断が行われる（Ｓ７１）。認証状態フラグがＯＮであり「認証状態」である場合には（Ｓ７１：ＹＥＳ）、「異常」の発生ではなく作業の開始である。そこで、ＩＤエラーで行われた発生処理でないので（Ｓ７２：ＮＯ）、すぐに作業情報が作成される（Ｓ７４）。具体的には、「区分」欄に「作業情報」であることを示す「１」がセットされ、「日時」欄に現在の日時がセットされ、「監視場所」欄には監視場所を示す番号がセットされ、「内容」欄に応答エラー（開放）を示す「０」がセットされ、「状態」欄には発生を示す「１」がセットされ、「送信」欄には未送信を示す「０」がセットされる。そして、作成された作業情報が島管理装置１００へ送信される（Ｓ７５）。この際には「送信」欄に送信済を示す「１」がセットされる。そして、送信番号には作業情報を送信済であることを示す「２」がセットされる（Ｓ７６）。そして、監視処理へ戻り、メイン処理へ戻る。
【００６７】
また、認証状態フラグがＯＦＦであり「認証状態」でない場合には（Ｓ７１：ＮＯ）、監視情報送信待機時間を計測するために経過時間の計測が開始される（Ｓ７７）。そして、異常情報が作成され監視情報記憶エリア３５１に記憶される（Ｓ７８）。具体的には、「区分」欄に「異常情報」であることを示す「０」がセットされ、「日時」欄に現在の日時がセットされ、「監視場所」欄には監視場所を示す番号がセットされ、「内容」欄に応答エラーを示す「０」がセットされ、「状態」欄には発生を示す「１」がセットされ、「送信」欄には未送信を示す「０」がセットされる。そして、送信番号に異常発生を示す「１」がセットされる（Ｓ７９）。そして、監視処理へ戻り、メイン処理へ戻る。
【００６８】
また、監視処理（図１３）において、すでに応答エラーとなっていれば（Ｓ４３：ＹＥＳ）、特に処理をする必要はないので、そのままメイン処理へ戻る。
【００６９】
また、監視処理（図１３）において、監視アンテナ６８からの呼出波の送信に対して（Ｓ４１）、反射波を受信しても（Ｓ４２：ＹＥＳ）、反射波に含まれているＩＤコードが予め登録されているものでなかった場合には（Ｓ４６：ＮＯ）、「異常」と判断され「ＩＤエラー」となる。そこで、すでにＩＤエラーとなっているか否かが、ＩＤエラーフラグがＯＮであるか否かにより判断される（Ｓ４７）。すでにＩＤエラーとなっていなければ（Ｓ４７：ＮＯ）、ＩＤエラーに対する処理を行う必要がある。そこで、ＩＤエラーフラグがＯＮとされ（Ｓ４８）、発生処理が行われる（Ｓ４９、図１４参照）。
【００７０】
この発生処理では、前述した応答エラーが発生した際（Ｓ４２：ＮＯ，Ｓ４３：ＮＯ）に行われる発生処理とほぼ同様の処理が行われるので、詳細な説明を引用して省略する。ただし、Ｓ７２ではＩＤエラーであると判断され（Ｓ７２：ＹＥＳ）、監視ＩＤコード記憶エリア３５３のＩＤコードが反射波に含まれているＩＤコードに変更される（Ｓ７３）。さらに、Ｓ７４において作成される作業情報では、「内容」欄にＩＤエラー（監視ＩＤコードの変更）を示す「１」がセットされる。また、Ｓ７８で作成される異常情報では、「内容」欄にＩＤエラーを示す「１」がセットされる。
【００７１】
また、監視処理（図１３）において、すでにＩＤエラーとなっていれば（Ｓ４７：ＹＥＳ）、特に処理をする必要はないので、そのままメイン処理へ戻る。
【００７２】
また、監視処理（図１３）において、応答エラー中に「正常」に回復した場合には（ＳＳ４１，Ｓ４２：ＹＥＳ，Ｓ４６：ＹＥＳ）、応答エラーフラグがＯＮとなっている（Ｓ５１：ＹＥＳ）。そこで、応答エラーフラグがＯＦＦされ（Ｓ５２）、回復処理が行われる（Ｓ５３、図１５参照）。
【００７３】
回復処理では、図１５に示すように、まず、送信番号が「１」であり、未送信の異常情報があるか否かの判断が行われる（Ｓ８１）。送信待機時間中に「認証状態」とされずに、送信待機時間中に応答エラーが回復した場合には送信番号が「１」となっている。そこで、送信番号が「１」である場合には（Ｓ８１：ＹＥＳ）、経過時間の計測が停止され（Ｓ８３）、監視情報記憶エリア３５１に記憶されている未送信の監視情報（異常情報）が島管理装置１００へ送信される（Ｓ８４）。ここで送信されるのは、「日時」欄が経過時間カウンタの計測開始以後の日時、「監視場所」欄が当該監視場所を示す番号、「内容」欄が「０」、「状態」欄が「１」である「応答エラー」の発生の異常情報である。そして、その異常情報に対応して、異常の回復を示す異常情報が作成されて監視情報記憶エリア３５１に記憶される（Ｓ８５）。具体的には、「区分」欄に「異常情報」であることを示す「０」がセットされ、「日時」欄に現在の日時がセットされ、「監視場所」欄には当該監視場所を示す番号がセットされ、「内容」欄に応答エラーを示す「０」がセットされ、「状態」欄には回復を示す「０」がセットされ、「送信」欄には送信を示す「１」がセットされる。そして、その回復を示す異常情報が島管理装置１００へ送信される（Ｓ８６）。
【００７４】
そして、送信番号のセットを行うが、ＩＤエラーも同時に発生している場合には、ＩＤエラーについての回復（終了）の処理を行う必要があるので、ＩＤエラーフラグがＯＮである場合には（Ｓ９１：ＹＥＳ）、送信番号のセットは行わない。そして、ＩＤエラーフラグがＯＮでない場合には（Ｓ９１：ＮＯ）、送信番号に異常が発生していないことを示す「０」がセットされ（Ｓ９２）、監視処理へ戻り、メイン処理へ戻る。
【００７５】
また、送信番号が「１」でない場合には（Ｓ８１：ＮＯ）、送信番号が「２」であるか否かの判断が行われる（Ｓ８２）。送信待機時間中に「認証状態」となり、「作業情報」が島管理装置１００へ送信された場合（図１２、認証処理、Ｓ２２：ＹＥＳ，Ｓ２３：ＹＥＳ，Ｓ３０：ＹＥＳ，Ｓ３１，Ｓ３）には送信番号が「２」となっている。そこで、送信番号が「２」である場合には（Ｓ８２：ＹＥＳ）、終了を示す作業情報の作成されていない作業情報について、終了を示す作業情報が作成されて（Ｓ８７）、島管理装置１００へ送信される（Ｓ８８）。具体的には、「区分」欄に「作業情報」であることを示す「１」がセットされ、「日時」欄に現在の日時がセットされ、「監視場所」欄には作業の開始を示す作業情報の監視場所と同じ番号がセットされ、「内容」欄に応答エラーを示す「０」がセットされ、「状態」欄には回復を示す「０」がセットされ、「送信」欄には送信を示す「１」がセットされる。
【００７６】
そして、送信番号が「１」であった場合と同様に、ＩＤエラーフラグがＯＮである場合には（Ｓ９１：ＹＥＳ）、送信番号のセットは行わず、ＩＤエラーフラグがＯＮでない場合には（Ｓ９１：ＮＯ）、送信番号に異常が発生していないことを示す「０」がセットされ（Ｓ９２）、監視処理へ戻り、メイン処理へ戻る。
【００７７】
また、送信番号が「１」でも「２」でもない場合には（Ｓ８１：ＮＯ，Ｓ８２：ＮＯ）、送信番号は「３」となっている。送信待機時間中に「認証状態」とならず、送信待機時間が経過して「異常情報」が島管理装置１００へ送信された場合（図１１、メイン処理、Ｓ２：ＹＥＳ，Ｓ５）に送信番号は「３」となっている。そこで、送信番号が「３」である場合には（Ｓ８２：ＮＯ）、回復を示す異常情報の作成されていない異常情報について、回復を示す異常情報が作成されて（Ｓ８９）、島管理装置１００へ送信される（Ｓ９０）。具体的には、「区分」欄に「異常情報」であることを示す「０」がセットされ、「日時」欄に現在の日時がセットされ、「監視場所」欄には異常の発生を示す異常情報の監視場所と同じ番号がセットされ、「内容」欄に応答エラーを示す「０」がセットされ、「状態」欄には回復を示す「０」がセットされ、「送信」欄には送信を示す「１」がセットされる。
【００７８】
そして、ＩＤエラーフラグがＯＮである場合には（Ｓ９１：ＹＥＳ）、送信番号のセットは行わず、ＩＤエラーフラグがＯＮでない場合には（Ｓ９１：ＮＯ）、送信番号に異常が発生していないことを示す「０」がセットされ（Ｓ９２）、監視処理へ戻り、メイン処理へ戻る。
【００７９】
また、監視処理（図１３）において、ＩＤエラー中に「正常」に回復した場合には（ＳＳ４１，Ｓ４２：ＹＥＳ，Ｓ４６：ＹＥＳ、Ｓ５１：ＮＯ）、ＩＤエラーフラグがＯＮとなっている（Ｓ５５：ＹＥＳ）。そこで、ＩＤエラーフラグがＯＦＦされ（Ｓ５６）、回復処理が行われる（Ｓ５７、図１５参照）。
【００８０】
回復処理では、応答エラーが回復した際と同様の処理が行われるが、Ｓ９１においては、Ｓ５６でＩＤエラーフラグがＯＦＦされているので、必ず送信番号に「０」がセットされる（Ｓ９１：ＮＯ，Ｓ９２）。また、Ｓ８５，Ｓ８９で作成される異常情報及びＳ８７で作成される作業情報の「内容」欄にはＩＤエラーを示す「１」がセットされる。そして、監視処理へ戻り、メイン処理へ戻る。
【００８１】
以上のようにして、各監視場所が監視され、異常が発生した際には１０秒間待機した後に「異常情報」が島管理装置１００へ送信される。なお、この１０秒間に係員カード５１０により認証状態とされた場合には、係員による作業であると判断されて「異常情報」でなく「作業情報」が島管理装置１００へ送信される。したがって、係員が係員カード５１０を用いて「認証状態」とするのを忘れて、作業を開始してしまっても、１０秒以内に係員カード５１０をＲＷ３０に認識させれば、「異常情報」は島管理装置１００へ送信されないので、異常発生の報知が行われることはない。よって、作業中に異常発生の報知が行われてしまい、報知を停止するために作業を中断したり、報知をさせたまま作業を行い、他の係員が駆けつけてしまったりすることがない。
【００８２】
７．島管理装置の動作の説明
次に、図１６のフローチャートを参照して、島管理装置１００の動作について説明する。図１６は、島管理装置１００の制御フローチャートである。島管理装置１００では、ＲＷ３０から「異常情報」を受信すると（Ｓ１０１：ＹＥＳ）、受信された異常情報の内容が表示器１０７に表示され、警告ランプ１０６が点灯されて異常発生が報知される（Ｓ１０５）。そして、ホールコンピュータ６００へ異常情報が送信される（Ｓ１０６）。そして、Ｓ１０１へ戻る。また、「作業情報」を受信した場合には（Ｓ１０１：ＮＯ，Ｓ１０２：ＹＥＳ）、受信された作業情報がホールコンピュータ６００へ送信される（Ｓ１０８）。そして、Ｓ１０１へ戻る。
【００８３】
また、停止ボタン１０８が押下された場合には（Ｓ１０１：ＮＯ，Ｓ１０２：ＮＯ，Ｓ１０３：ＹＥＳ）、警告ランプ１０６が消灯され、表示器１０７に表示されている異常情報の内容が消去されて異常発生の報知が解除される（Ｓ１０９）。そして、Ｓ１０１へ戻る。また、「異常情報」も「作業情報」も受信せず、停止ボタン１０８も押下されていない場合には（Ｓ１０１：ＮＯ，Ｓ１０２：ＮＯ，Ｓ１０３：ＮＯ）、島管理装置１００でのその他の処理が行われる（Ｓ１１０）。そして、Ｓ１０１へ戻る。
【００８４】
このように、上記処理が繰り返されることにより、島管理装置１００ではＲＷ３０から「異常情報」が送信された場合には、異常の発生の報知を行っている。なお、島管理装置１００から送信された監視情報は、ホールコンピュータ６００において記憶され、閲覧可能となっている。
【００８５】
８．請求項との対比
ＲＷ３０のＥＥＰＲＯＭ３５の監視ＩＤコード記憶エリア３５３が「識別情報記憶手段」に該当し、ＲＷ３０のＥＥＰＲＯＭ３５の認証ＩＤコード記憶エリア３５４が「係員識別情報記憶手段」に該当する。また、ホールコンピュータ６００のハードディスクの監視情報記憶エリア（図示外、監視情報６０１１は一例）が「異常情報記憶手段」及び「作業情報記憶手段」に該当する。また、ＲＦ回路３８及び監視アンテナ６８が「監視タグ通信手段」に該当し、ＲＦ回路３８及び認証アンテナ３０１が「係員タグ通信手段」該当する。
【００８６】
そして、図１３に示す監視処理のＳ４２，Ｓ４６の処理を行うＲＷ３０のＣＰＵ３２が「異常判断手段」に相当し、図１２に示す認証処理のＳ２１〜Ｓ２３の処理を行うＣＰＵ３２が「係員タグ検出手段」に相当し、図１４に示す発生処理のＳ７７の処理を行うＣＰＵ３２及びＲＴＣ７１が「経過時間計測手段」に相当し、図１２に示す認証処理のＳ２５の処理を行うＣＰＵ３２が「認証状態制御手段」に相当し、図１４に示す発生処理のＳ７８、及び、図１１に示すメイン処理のＳ５の処理を行うＣＰＵ３２が「異常情報送信手段」に相当し、図１１に示すメイン処理のＳ２，Ｓ３の処理、図１２に示す認証処理のＳ３０〜Ｓ３３の処理を行うＣＰＵ３２が「異常情報送信制御手段」に相当する。また、図１４に示す発生処理のＳ７４，Ｓ７５の処理、及び、図１２に示す認証処理のＳ３０〜Ｓ３２の処理を行うＣＰＵ３２が「作業情報送信手段」に相当する。
【００８７】
そして、島管理装置１００が「外部装置」に該当し、図１６に示す島管理装置処理のＳ１０９の処理を行う島管理装置１００のＣＰＵ１０１が「報知手段」に相当し、Ｓ１０１の処理を行うＣＰＵ１０１が「異常情報受信手段」に相当し、Ｓ１０２の処理を行うＣＰＵ１０１が「作業情報受信手段」に相当する。
【００８８】
９．変形例の説明
なお、本発明の遊技場監視システムは、上記した実施の形態に限定されるものではなく、本発明の要旨を逸脱しない範囲内において種々変更を加え得ることは勿論である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。また、上記実施の形態では、被監視部材としてパチンコ機１の主基板ケース８１、本体枠１０と機枠１２、前面枠１１と本体枠１０、大入賞口に監視タグを設置したが、移動を監視される部材はこれに限らず、他の基板収納ボックスや、普通図柄始動ゲート等の入賞口に設置して、その開閉状態を監視してもよい。
【００８９】
上記実施の形態では、異常が発生してから係員カード５１０の認証を待機する時間を１０秒としているが、この時間は１０秒に限らず、これ以上であってもこれ以下であってもよい。また、上記実施の形態では、ＲＷ３０において「異常情報」及び「作業情報」を「監視情報」として１つの記憶エリアに記憶しているが、「異常情報」と「作業情報」とを別々の記憶エリアに記憶、管理してもよい。この場合には「異常情報」を「作業情報」に変更する際には、「異常情報」から該当するデータを削除して、「作業情報」にデータを追加することになる。また、上記実施の形態では、島管理装置１００に監視情報を記憶していないが、ＥＥＰＲＯＭ１０４等に記憶するようにしてもよい。
【００９０】
また、上記実施の形態では、ＲＷ３０において異常が発生した際に、即座に「異常情報」を監視情報記憶エリア３５１に記憶し（図１４の発生処理のＳ７８）、待機時間中に認証状態とされた場合に「異常情報」を「作業情報」に変更している（図１２に示す認証処理のＳ３１）。しかし、異常発生時には「異常情報」を監視情報記憶エリア３５１に記憶せずに、その時刻や異常の内容等を仮の記憶エリアに記憶しておき、待機時間中に認証状態とされた場合に（図１２に示す認証処理のＳ３０：ＹＥＳ）、「作業情報」を監視情報記憶エリア３５１に記憶し、待機時間中に認証状態とされなかった場合に（図１１に示すメイン処理のＳ３：ＹＥＳ）、「異常情報」を監視情報記憶エリア３５１に記憶するようにしてもよい。
【産業上の利用可能性】
【００９１】
本発明の遊技機はパチンコ機１に限られず、パチコン機、パチスロ機等の各種の遊技機に適用可能である。
【図面の簡単な説明】
【００９２】
【図１】遊技場監視システムを示す構成図である。
【図２】遊技場監視システムを導入した遊技場内の外観を示す説明図である。
【図３】パチンコ機１の前面枠１１及び本体枠１０を開いた状態をパチンコ機１の前面から見た斜視図である。
【図４】パチンコ機１の背面図である。
【図５】パチンコ機１の電気的構成を示すブロック図である。
【図６】ＲＷ３０のＥＥＰＲＯＭ３５の記憶エリアを示した模式図である。
【図７】島管理装置１００の電気的構成を示すブロック図である。
【図８】異常が発生した直後の状態の監視情報３５１１の模式図である。
【図９】監視情報送信待機中に認証状態となり作業情報に書き換えられた状態の監視情報３５１２の模式図である。
【図１０】ホールコンピュータ６００のハードディスクに記憶されている監視情報６０１１の模式図である。
【図１１】ＲＷ３０で行われるメイン処理のフローチャートである。
【図１２】メイン処理の中で行われる認証処理のフローチャートである。
【図１３】メイン処理の中で行われる監視処理のフローチャートである。
【図１４】監視処理の中で行われる発生処理のフローチャートである。
【図１５】監視処理の中で行われる回復処理のフローチャートである。
【図１６】島管理装置１００の制御フローチャートである。
【符号の説明】
【００９３】
１  パチンコ機
１０  本体枠
１１  前面枠
１２  機枠
３０  ＲＷ
３２  ＣＰＵ
３５  ＥＥＰＲＯＭ
３８  ＲＦ回路
６８  監視アンテナ
６８ａ  ケースアンテナ
６８ｂ  機枠アンテナ
６８ｃ  前面枠アンテナ
７１  ＲＴＣ
８１  主基板ケース
８２  払出制御基板ケース
８６  監視タグ
８６ａ  ケースタグ
８６ｂ  機枠タグ
８６ｃ  前面枠タグ
１００  島管理装置
１０１  ＣＰＵ
１０４  ＥＥＰＲＯＭ
１０６  警告ランプ
１０７  表示器
１１７  ＲＴＣ
１５０  店内ネットワーク
３０１  認証アンテナ
３５１  監視情報記憶エリア
３５１１  監視情報
３５１２  監視情報
３５２  認証情報記憶エリア
３５３  監視ＩＤコード記憶エリア
３５４  認証ＩＤコード記憶エリア
５１０  係員カード
６００  ホールコンピュータ
【図１】
2006280821.tif 000003
【図２】
2006280821.tif 000004
【図３】
2006280821.tif 000005
【図４】
2006280821.tif 000006
【図５】
2006280821.tif 000007
【図６】
2006280821.tif 000008
【図７】
2006280821.tif 000009
【図８】
2006280821.tif 000010
【図９】
2006280821.tif 000011
【図１０】
2006280821.tif 000012
【図１１】
2006280821.tif 000013
【図１２】
2006280821.tif 000014
【図１３】
2006280821.tif 000015
【図１４】
2006280821.tif 000016
【図１５】
2006280821.tif 000017
【図１６】
2006280821.tif 000018